(57)【特許請求の範囲】
【請求項１】
記録層が多層構造で各記録層にデータの記録が可能なデータ領域を有する光情報記録媒体に対して前記データ領域にデータの記録を行う光情報記録方法において、
前記複数の記録層のうち少なくとも２つの前記データ領域を連続した単一のデータ領域として複数の分割領域に分割する分割工程と、
この分割領域に前記データの記録を行う記録工程と、
を含んでいて、
前記記録工程は、前記分割領域内にユーザデータを記録するユーザデータ領域を設定し、前記ユーザデータ領域が２つの前記データ領域にまたがるときは当該ユーザデータ領域を２つに分割して各分割部分を前記各データ領域に設定して前記記録を行ない、前記分割領域内で前記ユーザデータ領域の前方に配置される第１の所定データを記録する第１の所定領域と、後方に配置される第２の所定データを記録する第２の所定領域とのうち少なくとも一方を設定し、前記第１又は第２の所定領域が２つの前記データ領域にまたがるときは当該第１又は第２の所定領域を２つに分割して各分割部分を前記各データ領域に設定して前記記録を行うことを特徴とする光情報記録方法。
【請求項２】
前記分割工程は、前記分割領域の分割としてセッション（Session）の分割を行い、
前記記録工程は、前記第１の所定領域をリードイン（Lead-in）、前記第２の所定領域をリードアウト（Lead-out）として前記記録を行うこと、
を特徴とする請求項１に記載の光情報記録方法。
【請求項３】
前記光情報記録媒体が、片面に２層の記録層が形成されたＤＶＤ＋Ｒ規格に準拠している場合に、
前記分割工程は、前記分割領域の分割としてセッション（Session）の分割を行い、
前記記録工程は、前記第１の所定領域をイントロ（Intro）、前記第２の所定領域をクロージャ（Closure）として前記記録を行うこと、
を特徴とする請求項１に記載の光情報記録方法。
【請求項４】
記録層が多層構造で各記録層にデータの記録が可能なデータ領域を有する光情報記録媒体に対して前記データ領域にデータの記録を行う光情報記録装置において、
前記複数の記録層のうち少なくとも２つの前記データ領域を連続した単一のデータ領域として複数の分割領域に分割する分割手段と、
この分割領域に前記データの記録を行う記録手段と、
を備え、
前記記録手段は、前記分割領域内にユーザデータを記録するユーザデータ領域を設定し、前記ユーザデータ領域が２つの前記データ領域にまたがるときは当該ユーザデータ領域を２つに分割して各分割部分を前記各データ領域に設定して前記記録を行ない、前記分割領域内で前記ユーザデータ領域の前方に配置される第１の所定データを記録する第１の所定領域と、後方に配置される第２の所定データを記録する第２の所定領域との少なくとも一方を設定し、前記第１又は第２の所定領域が２つの前記データ領域にまたがるときは当該第１又は第２の所定領域を２つに分割して各分割部分を前記各データ領域に設定して前記記録を行うことを特徴とする光情報記録装置。
【請求項５】
前記分割手段は、前記分割領域の分割としてセッション（Session）の分割を行い、
前記記録手段は、前記第１の所定領域をリードイン（Lead-in）、前記第２の所定領域をリードアウト（Lead-out）として前記記録を行うこと、
を特徴とする請求項４に記載の光情報記録装置。
【請求項６】
前記光情報記録媒体が、片面に２層の記録層が形成されたＤＶＤ＋Ｒ規格に準拠している場合に、
前記分割手段は、前記分割領域の分割としてセッション（Session）の分割を行い、
前記記録手段は、前記第１の所定領域をイントロ（Intro）、前記第２の所定領域クロージャ（Closure）として前記記録を行うこと、
を特徴とする請求項４に記載の光情報記録装置。
【請求項７】
各種情報処理を行うことができる情報処理装置において、
請求項１〜６のいずれかの一に記載の光情報記録装置を備えていること、を特徴とする情報処理装置。
【請求項８】
記録層が多層構造で各記録層にデータの記録が可能なデータ領域を有する光情報記録媒体において、
前記複数の記録層のうち少なくとも２つの前記データ領域が連続した単一のデータ領域として複数の分割領域に分割され、
この分割領域に前記データの記録がされていて、
前記分割領域内にユーザデータを記録するユーザデータ領域が設定され、前記ユーザデータ領域が２つの前記データ領域にまたがり当該ユーザデータ領域を２つに分割して各分割部分を前記各データ領域に設定しており、前記分割領域内で前記ユーザデータ領域の前方に配置される第１の所定データを記録する第１の所定領域と、後方に配置される第２の所定データを記録する第２の所定領域とのうち少なくとも一方が設定され、前記第１又は第２の所定領域が２つの前記データ領域にまたがっていて当該第１又は第２の所定領域を２つに分割して各分割部分を前記各データ領域に設定していること、を特徴とする光情報記録媒体。
【発明の詳細な説明】
【技術分野】
【０００１】
本発明は、記録層が多層構造で各記録層にデータの記録が可能なデータ領域を有する光情報記録媒体に対してデータ領域にデータの記録を行う光情報記録方法、及び、光情報記録装置、この光情報記録装置を備えた情報処理装置、記録層が多層構造で各記録層にデータの記録が可能なデータ領域を有する光情報記録媒体、並びに、記録層が多層構造で各記録層にデータの記録が可能なデータ領域を有する光情報記録媒体に対してデータ領域にデータの記録を行うことをコンピュータに実行させるプログラム、及び、このプログラムを記憶している記憶媒体に関する。
【背景技術】
【０００２】
特許文献１には、複数の記録層を有する情報記録媒体へ記録を行う場合に、光入射側から相対的に遠い記録層から記録を行い、記録データの品質の低下を避けるようにした情報記録装置について開示されている。
【０００３】
【特許文献１】特開２００１−１２６２５５公報
【発明の開示】
【発明が解決しようとする課題】
【０００４】
ＤＶＤの記録型ディスクとしてＤＶＤ＋Ｒがあり、物理特性がＤＶＤ−ＲＯＭディスクに近く、ＤＶＤ−ＲＯＭドライブとの互換性に優れた光ディスクである。ＤＶＤ＋Ｒは、データの書き換えができないライトワンスディスクであり、データ記録はシーケンシャルに行う必要がある。また、ファイル単位で追記されたデータをＤＶＤ−ＲＯＭドライブで読ませるために、あらかじめファイル情報を記録する領域をセッションの先頭にリザーブしておき、セッションクローズする際に記録データのファイル情報をリザーブ領域に記録する方式が一般的である。
【０００５】
前述したように、ＤＶＤ＋Ｒのデータ記録はディスク内周からシーケンシャルに記録する必要があるが、記録領域を複数のトラック（ＤＶＤ＋Ｒではフラグメントと呼ぶ）に分割して記録することで、セッションの先頭領域を後から記録することが可能になる。また、セッションをクローズした場合も、新規にセッションを追加することで、セッションクローズ後のデータの追記が可能となる。このようにＤＶＤ＋Ｒではマルチトラック、マルチセッション記録方式が採用されている。
【０００６】
また、ＤＶＤ＋Ｒなどの記録型ディスクは高速化、大容量化のための研究開発が盛んに行われており、その手段の一つとして、片面２層の再生専用ＤＶＤディスクとの再生互換性を持った、記録層が片面２層のＤＶＤ＋Ｒディスク（以下、２層ＤＶＤ＋Ｒと呼ぶ）が提案されている。この２層ＤＶＤ＋Ｒは、記録容量が８．４Gbyteであり、従来の記録層が１層のＤＶＤ＋Ｒはデータ容量が４．７Gbyteであるのに対してほぼ２倍の記録容量を有し、記録されたデータは片面２層の再生専用ＤＶＤディスクの再生が可能なＤＶＤプレイヤ、あるいはＤＶＤ−ＲＯＭドライブで読み出すことができる。
【０００７】
２層ＤＶＤ＋Ｒにおける論理アドレスは、１層目の記録層のデータ領域の開始アドレスから連続的に割り振られており、１層目のデータ領域終了アドレスから２層目のデータ領域開始アドレスへは論理アドレスが連続している。従って、２層ＤＶＤ＋Ｒに対する記録において、ユーザは記録層が２層に分断していることを意識することなく記録を行うことが可能となっている。
【０００８】
ここで、ＤＶＤ＋Ｒでは、データ領域を、複数の分割領域、すなわち、フラグメントあるいはセッション単位で分割して記録を行うが、これらデータ領域の分割に際しても、ユーザに記録層が２層に分断していることを意識させることなく行うようにする必要がある。例えば、データ領域をフラグメント単位で分割する場合、ユーザはフラグメントサイズを指定することにより、この分割を行うのが一般的である。このとき、（詳細は後述するが）データ領域内の最終フラグメントであるインコンプリートフラグメント（Incomplete Fragment）が、指定されたサイズのリザーブドフラグメント（Reserved Fragment）と、新たなインコンプリートフラグメントに分割される。ここで、最終フラグメントの開始アドレスが１層目の記録層のデータ領域内にあった場合、指定されたデータサイズによっては、リザーブドフラグメントが１層目の記録層のデータ領域を超えてしまう場合が考えられるが、１層目の記録層のデータ領域は固定しているため、１層目の記録層のデータ領域の範囲を超えてデータ記録を行うことはできない。しかしながら、このようなフラグメント分割を制限することは、ユーザが各記録層におけるデータ領域の範囲を管理する必要が生じ、ユーザの使い勝手を考慮すると望ましくないという不具合がある。
【０００９】
そこで、２つの記録層のデータ領域を連続した単一のデータ領域として、この２つの記録層をまたいでフラグメント、セッションなどの分割が可能になれば、ユーザは記録層を意識することなく、フラグメント、セッションなどを単位とする分割記録を行うことが可能になる。
【００１０】
また、別の課題として、ＤＶＤ＋Ｒでは、２セッション目以降のセッションにおけるリードインをイントロ（Intro）と呼び、最終セッションより前のセッションのリードアウトをクロージャ（Closure）と呼ぶが、イントロ及びクロージャは、ユーザデータ属性を有するデータであり、所定の記録フォーマットで記録される。通常、ＤＶＤ＋Ｒにデータ記録を行う場合、データはファイルの形態で記録される。このとき、ユーザデータの実体を記録するための領域とは別に用意されているファイル管理領域に、ユーザデータ情報を管理するためのファイル管理情報が記録される。このファイル管理情報はセッション内の所定領域（例えば、ユーザデータ領域の先頭から１６セクタ）に記録されるのが一般的であり、マルチセッション記録においてセッションを追記する場合、このファイル管理情報が更新されて新規セッションの所定領域へ記録される。すなわち、あるセッション内に存在するファイル管理情報は、当該セッション内に記録したユーザデータの実体に関するファイル管理情報と、当該セッション以前のセッションに記録したユーザデータの実体に関する管理情報を含む。従って、マルチセッションＤＶＤ＋Ｒに記録したファイルを読み出すためには、最終セッションの開始アドレスを特定する必要がある。
【００１１】
そして、マルチセッションＤＶＤ＋Ｒに対応したドライブであれば、ドライブ自身がマルチセッション情報（例えば、各セッションの開始アドレス、終了アドレス）を検出し、最終セッションの情報をユーザに通知するが、マルチセッションＤＶＤ＋Ｒに非対応である従来のＤＶＤ−ＲＯＭドライブであっても、特定のドライバソフト（このようなドライバソフトを、本明細書では「マルチセッションドライバ」と呼ぶ）を用いることで、ユーザが最終セッションの情報を取得することが可能である。すなわち、このようなマルチセッションドライバでは、第1セッションのユーザデータサイズと当該セッションのクロージャサイズ、次セッションのイントロサイズから次のセッションの開始アドレスを判定し、次セッションのイントロ内の所定位置を再生させ、当該領域に記録されているセッション情報から次セッションのサイズを取得する。このセッション検出処理によりディスク上に存在するセッションを順にたどることで最終セッションを検出することができる。これは、イントロ及びクロージャがユーザデータ属性を有していること（従来のＤＶＤ−ＲＯＭドライブにとってはユーザデータと識別される)、また、イントロ、クロージャサイズが固定であることにより可能となっている。
【００１２】
ところで、このような２層ＤＶＤ＋Ｒなどにおいて、前述のように、２つの記録層のデータ領域を連続した単一のデータ領域としてセッション分割などを行う場合に、イントロやクロージャが２つの記録層をまたぐ場合がある。このようなときにも、マルチセッションＤＶＤ＋Ｒに非対応のドライブとマルチセッションドライバにより最終セッションを特定するためには、イントロまたはクロージャをデータ領域内に分割して記録する必要がある。
【００１３】
本発明の目的は、記録層が多層構造で各記録層にデータの記録が可能なデータ領域を有する光情報記録媒体に対して、ユーザは記録層を意識することなく、フラグメント、セッションなどを単位とする分割記録を行うことができるようにすることである。
【課題を解決するための手段】
【００１４】
請求項１に記載の発明は、記録層が多層構造で各記録層にデータの記録が可能なデータ領域を有する光情報記録媒体に対して前記データ領域にデータの記録を行う光情報記録方法において、前記複数の記録層のうち少なくとも２つの前記データ領域を連続した単一のデータ領域として複数の分割領域に分割する分割工程と、この分割領域に前記データの記録を行う記録工程と、を含んでいて、前記記録工程は、前記分割領域内にユーザデータを記録するユーザデータ領域を設定し、前記ユーザデータ領域が２つの前記データ領域にまたがるときは当該ユーザデータ領域を２つに分割して各分割部分を前記各データ領域に設定して前記記録を行ない、前記分割領域内で前記ユーザデータ領域の前方に配置される第１の所定データを記録する第１の所定領域と、後方に配置される第２の所定データを記録する第２の所定領域とのうち少なくとも一方を設定し、前記第１又は第２の所定領域が２つの前記データ領域にまたがるときは当該第１又は第２の所定領域を２つに分割して各分割部分を前記各データ領域に設定して前記記録を行うことを特徴とする光情報記録方法である。
【００１５】
したがって、記録層をまたいでフラグメント、セッションなどの分割領域の分割が可能になるため、ユーザは記録層を意識することなく、フラグメント、セッションなどを単位とする分割記録を行うことが可能になる。
【００１７】
また、記録層をまたいでフラグメント、セッションなどの分割領域の分割が可能になるため、ユーザは記録層を意識することなく、フラグメント、セッションなどを単位とするユーザデータの分割記録を行うことが可能になる。
【００１９】
さらに、第１又は第２の所定領域（ＤＶＤ＋Ｒのイントロ、クロージャなど）で記録層をまたぐ場合も、当該所定領域がデータ領域へ分割して記録されるため、データ領域内に所定データサイズの第１又は第２の所定領域が記録されていることが保証されるので、マルチセッションドライバを用いて最終セッションを検出する場合などであっても最終セッションの位置を正しく検出することが可能となる。
【００２０】
請求項２に記載の発明は、請求項１に記載の光情報記録方法において、前記分割工程は、前記分割領域の分割としてセッション（Session）の分割を行い、前記記録工程は、前記第１の所定領域をリードイン（Lead-in）、前記第２の所定領域をリードアウト（Lead-out）として前記記録を行うこと、を特徴とする。
【００２１】
したがって、リードイン又はリードアウトで記録層をまたぐ場合も、当該リードイン又はリードアウトがデータ領域へ分割して記録されるため、データ領域内に所定データサイズのリードイン又はリードアウトが記録されていることが保証されるので、マルチセッションドライバを用いて最終セッションを検出する場合などであっても最終セッションの位置を正しく検出することが可能となる。
【００２２】
請求項３に記載の発明は、請求項１に記載の光情報記録方法において、前記光情報記録媒体が、片面に２層の記録層が形成されたＤＶＤ＋Ｒ規格に準拠している場合に、前記分割工程は、前記分割領域の分割としてセッション（Session）の分割を行い、前記記録工程は、前記第１の所定領域をイントロ（Intro）、前記第２の所定領域をクロージャ（Closure）として前記記録を行うこと、を特徴とする。
【００２３】
したがって、イントロ又はクロージャで記録層をまたぐ場合も、当該イントロ又はクロージャがデータ領域へ分割して記録されるため、データ領域内に所定データサイズのイントロ又はクロージャが記録されていることが保証されるので、マルチセッションドライバを用いて最終セッションを検出する場合などであっても最終セッションの位置を正しく検出することが可能となる。
【００３４】
請求項４に記載の発明は、記録層が多層構造で各記録層にデータの記録が可能なデータ領域を有する光情報記録媒体に対して前記データ領域にデータの記録を行う光情報記録装置において、前記複数の記録層のうち少なくとも２つの前記データ領域を連続した単一のデータ領域として複数の分割領域に分割する分割手段と、この分割領域に前記データの記録を行う記録手段と、を備え、前記記録手段は、前記分割領域内にユーザデータを記録するユーザデータ領域を設定し、前記ユーザデータ領域が２つの前記データ領域にまたがるときは当該ユーザデータ領域を２つに分割して各分割部分を前記各データ領域に設定して前記記録を行ない、前記分割領域内で前記ユーザデータ領域の前方に配置される第１の所定データを記録する第１の所定領域と、後方に配置される第２の所定データを記録する第２の所定領域との少なくとも一方を設定し、前記第１又は第２の所定領域が２つの前記データ領域にまたがるときは当該第１又は第２の所定領域を２つに分割して各分割部分を前記各データ領域に設定して前記記録を行うことを特徴とする光情報記録装置である。
【００３５】
したがって、記録層をまたいでフラグメント、セッションなどの分割領域の分割が可能になるため、ユーザは記録層を意識することなく、フラグメント、セッションなどを単位とする分割記録を行うことが可能になる。
【００３７】
また、記録層をまたいでフラグメント、セッションなどの分割領域の分割が可能になるため、ユーザは記録層を意識することなく、フラグメント、セッションなどを単位とするユーザデータの分割記録を行うことが可能になる。
【００３９】
さらに、第１又は第２の所定領域（ＤＶＤ＋Ｒのイントロ、クロージャなど）で記録層をまたぐ場合も、当該所定領域がデータ領域へ分割して記録されるため、データ領域内に所定データサイズの第１又は第２の所定領域が記録されていることが保証されるので、マルチセッションドライバを用いて最終セッションを検出する場合などであっても最終セッションの位置を正しく検出することが可能となる。
【００４０】
請求項５に記載の発明は、請求項４に記載の光情報記録装置において、前記分割手段は、前記分割領域の分割としてセッション（Session）の分割を行い、前記記録手段は、前記第１の所定領域をリードイン（Lead-in）、前記第２の所定領域リードアウト（Lead-out）として前記記録を行うこと、を特徴とする。
【００４１】
したがって、リードイン又はリードアウトで記録層をまたぐ場合も、当該リードイン又はリードアウトがデータ領域へ分割して記録されるため、データ領域内に所定データサイズのリードイン又はリードアウトが記録されていることが保証されるので、マルチセッションドライバを用いて最終セッションを検出する場合などであっても最終セッションの位置を正しく検出することが可能となる。
【００４２】
請求項６に記載の発明は、請求項４に記載の光情報記録装置において、前記光情報記録媒体が、片面に２層の記録層が形成されたＤＶＤ＋Ｒ規格に準拠している場合に、前記分割手段は、前記分割領域の分割としてセッション（Session）の分割を行い、前記記録手段は、前記第１の所定領域をイントロ（Intro）、前記第２の所定領域クロージャ（Closure）として前記記録を行うこと、を特徴とする。
【００４３】
したがって、イントロ又はクロージャで記録層をまたぐ場合も、当該イントロ又はクロージャがデータ領域へ分割して記録されるため、データ領域内に所定データサイズのイントロ又はクロージャが記録されていることが保証されるので、マルチセッションドライバを用いて最終セッションを検出する場合などであっても最終セッションの位置を正しく検出することが可能となる。
【００５４】
請求項７に記載の発明は、各種情報処理を行うことができる情報処理装置において、請求項１〜６のいずれかの一に記載の光情報記録装置を備えていること、を特徴とする情報処理装置である。
【００５５】
したがって、請求項１〜６のいずれかの一に記載の発明と同様の作用、効果を奏することができる。
【００５６】
請求項８に記載の発明は、記録層が多層構造で各記録層にデータの記録が可能なデータ領域を有する光情報記録媒体において、前記複数の記録層のうち少なくとも２つの前記データ領域が連続した単一のデータ領域として複数の分割領域に分割され、この分割領域に前記データの記録がされていて、前記分割領域内にユーザデータを記録するユーザデータ領域が設定され、前記ユーザデータ領域が２つの前記データ領域にまたがり当該ユーザデータ領域を２つに分割して各分割部分を前記各データ領域に設定しており、前記分割領域内で前記ユーザデータ領域の前方に配置される第１の所定データを記録する第１の所定領域と、後方に配置される第２の所定データを記録する第２の所定領域とのうち少なくとも一方が設定され、前記第１又は第２の所定領域が２つの前記データ領域にまたがっていて当該第１又は第２の所定領域を２つに分割して各分割部分を前記各データ領域に設定していることを特徴とする光情報記録媒体である。
【００５７】
したがって、記録層をまたいでフラグメント、セッションなどの分割領域の分割が可能になるため、ユーザは記録層を意識することなく、フラグメント、セッションなどを単位とする分割記録を行うことが可能になる。
【００５９】
また、記録層をまたいでフラグメント、セッションなどの分割領域の分割が可能になるため、ユーザは記録層を意識することなく、フラグメント、セッションなどを単位とする分割記録を行うことが可能になる。
【００６１】
そのうえ、第１又は第２の所定領域（ＤＶＤ＋Ｒのイントロ、クロージャなど）で記録層をまたぐ場合も、当該所定領域がデータ領域へ分割して記録されるため、データ領域内に所定データサイズの第１又は第２の所定領域が記録されていることが保証されるので、マルチセッションドライバを用いて最終セッションを検出する場合などであっても最終セッションの位置を正しく検出することが可能となる。
【発明の効果】
【００７２】
請求項１，４，８に記載の発明は、記録層をまたいでフラグメント、セッションなどの分割領域の分割が可能になるため、ユーザは記録層を意識することなく、フラグメント、セッションなどを単位とする分割記録を行うことが可能になる。
【００７３】
また、記録層をまたいでフラグメント、セッションなどの分割領域の分割が可能になるため、ユーザは記録層を意識することなく、フラグメント、セッションなどを単位とするユーザデータの分割記録を行うことが可能になる。
【００７４】
さらに、第１又は第２の所定領域で記録層をまたぐ場合も、当該所定領域がデータ領域へ分割して記録されるため、データ領域内に所定データサイズの第１又は第２の所定領域が記録されていることが保証されるので、マルチセッションドライバを用いて最終セッションを検出する場合などであっても最終セッションの位置を正しく検出することが可能となる。
【００７５】
請求項２，５に記載の発明は、請求項１，４に記載の発明において、リードイン又はリードアウトで記録層をまたぐ場合も、当該リードイン又はリードアウトがデータ領域へ分割して記録されるため、データ領域内に所定データサイズのリードイン又はリードアウトが記録されていることが保証されるので、マルチセッションドライバを用いて最終セッションを検出する場合などであっても最終セッションの位置を正しく検出することが可能となる。
【００７６】
請求項３，６に記載の発明は、請求項１，４に記載の発明において、イントロ又はクロージャで記録層をまたぐ場合も、当該イントロ又はクロージャがデータ領域へ分割して記録されるため、データ領域内に所定データサイズのイントロ又はクロージャが記録されていることが保証されるので、マルチセッションドライバを用いて最終セッションを検出する場合などであっても最終セッションの位置を正しく検出することが可能となる。
【発明を実施するための最良の形態】
【００８２】
本発明の一実施の形態について説明する。
【００８３】
図１に示すように、本実施の形態の光情報記録再生装置１は、本発明の光情報記録装置を実施するもので、光ディスク５１（その詳細については後述する）に対して情報の記録再生動作を実行する装置である。光情報記録再生装置１は、光ディスク５１を回転駆動するモータ２と、光ディスク５１にレーザ光４を照射する光ピックアップ３と、この光ピックアップ３を光ディスク５１の半径方向に移動させる粗動モータ５と、これらの各部を制御する制御系と、を備えている。
【００８４】
制御系として、光情報記録再生装置１は、マイクロコンピュータを中心に構成され、各部を集中制御するコントローラ６を備え、このコントローラ６に制御される回転制御系７、ピックアップ制御系８、粗動モータ制御系９及び信号処理系１０を備える。回転制御系７は、光ディスク５１を回転駆動するモータ２の動作を制御する。ピックアップ制御系８は、光ディスク５１にレーザ光４を照射する光ピックアップ３の動作を制御する。粗動モータ制御系９は、光ピックアップ３を光ディスク５１の半径方向に移動させる粗動モータ５の動作を制御する。信号処理系１０は、ピックアップ制御系８によって制御された光ピックアップ３から照射されて光ディスク５１で反射したレーザ光４を図示しない光受光素子で受光し、その受光信号を処理する構成のものである。この信号処理系１０は、光ディスク５１から読み出したデータをキャッシュメモリ１１に蓄える。そして、コントローラ６は、キャッシュメモリ１１に蓄えられたデータを、外部インターフェイス１２を介して接続されたホスト機器１３に転送する。
図２は、本実施の形態で用いる後述のＤＶＤ＋Ｒディスクの比較例として、従来の再生専用のＤＶＤディスクのレイアウトを示す説明図である。
【００８５】
図２（ａ）は、片面１層（Single Layer）のディスク（以下、１層ディスクという）１０１、図２（ｂ）は、パラレルトラックパス方式（Parallel Track Path方式（以下、ＰＴＰ方式という））の片面２層ディスク（以下、ＰＴＰディスクという）２０１、図２（ｃ）は、オポジットトラックパス方式（Opposite Track Path方式（以下、ＯＴＰ方式という））の片面２層ディスク（以下、ＯＴＰディスクという）３０１である。
【００８６】
いずれのディスク１０１，２０１，３０１も、ＤＶＤディスクはリードイン領域、データ領域、リードアウト領域からなるインフォメーション領域（Information Area）を有し、１層ディスク１０１、及び、ＰＴＰディスク２０１の場合は、記録層（ＰＴＰディスク２０１の場合はレイヤ０，１（符号２０２，２０３））毎にインフォメーション領域を有する。ＯＴＰディスク３０１は１つのインフォメーション領域からなり、各記録層３０２，３０３のデータ領域の後方（外周方向）に中間領域（Middle Area）を有する。１層ディスク１０１とＰＴＰディスク２０１、及び，ＯＴＰディスク３０１のレイヤ(Layer)０は、ディスクの内周から外周に向けてデータの再生が行われ、ＯＴＰディスク３０１のレイヤ１は外周から内周に向けてデータの再生が行われる。１層ディスク１０１及び、ＰＴＰディスク２０１の各記録層２０２，２０３にはリードイン領域からリードアウト領域まで連続した物理アドレス（Physical Sector Number）が割り振られる。一方、ＯＴＰディスク３０１の場合はリードイン領域からレイヤ０の中間領域まで連続した物理アドレスが割り振られるが、レイヤ１の物理アドレスはレイヤ０の物理アドレスをビット反転したアドレスが割り振られ、中間領域からリードアウト領域まで物理アドレスが増加していく。図２（ｂ）に示すように、ＰＴＰディスク２０１におけるリードイン領域開始及び終了アドレス、データ領域の開始アドレス、並びに、リードアウト領域の終了アドレスは同一半径位置にあり、リードアウト領域の開始アドレス、すなわち、データ領域の終了アドレスは記録層２０２，２０３毎に異なる場合がある。データ領域の終了アドレスが異なる場合、その差分の領域はリードアウトが記録されている。一方、図２（ｃ）に示すように、ＯＴＰディスク３０１の場合は、リードイン領域の開始アドレスとリードアウト領域の終了アドレス、レイヤ０のデータ領域終了アドレスとレイヤ１のデータ領域開始アドレス、並びに、各記録層３０２，３０３の中間領域の開始及び終了アドレスは、同一半径位置にあり、レイヤ０のデータ領域開始アドレスとレイヤ１のデータ領域終了アドレスは必ずしも一致しない。ＯＴＰディスク３０１の場合も、その差分領域にはリードアウトが記録されている。
【００８７】
図３は、本実施の形態で用いる光情報記録媒体である光ディスク５１（図７以下を参照）におけるフラグメントの分割について説明する説明図である。光ディスク５１は、ＤＶＤ＋Ｒディスクである。
【００８８】
フラグメント(Fragment（Fragm.））の状態としては、リザーブドフラグメント（Reserved Fragment（Res.Fragm.））とインコンプリートフラグメント（Incomplete Fragment（Inc.Fragm.））が定義されている。リザーブドフラグメントとは、フラグメントの開始アドレス、及び、終了アドレスが決定しているフラグメントであり、これらの情報が後述するセッションディスクコントロールブロック（Session Disc Control Block（以下、ＳＤＣＢという））内のフラグメントアイテム（Fragment Item）に登録されている。インコンプリートフラグメントとは、フラグメントの開始アドレスのみ決定しているフラグメントであり、フラグメントの終了アドレスとしてデータ領域の終了アドレスが暫定的に与えられている。データ領域を複数のフラグメントに分割する場合は、インコンプリートフラグメントが分割されて、リザーブドフラグメントとインコンプリートフラグメントが生成される。
【００８９】
図３（ａ）は、フラグメントの分割を行う前にすでに光ディスク５１上に存在しているフラグメントの状態を表す。ここでは、データの記録が完了していないオープンセッション（Open Session）Ｋ内に、１つのリザーブドフラグメントＮとインコンプリートフラグメント（Ｎ＋１）が存在している。ＤＶＤ＋Ｒでは、ユーザからのデータを記録する場合、各フラグメント内の未記録領域から追記を行う必要がある。
【００９０】
図３（ｂ）に示すように、データ領域をフラグメントに分割する場合は、インコンプリートフラグメント（Ｎ＋１）が、リザーブドフラグメント（Ｎ＋１）と新たなインコンプリートフラグメント（Ｎ＋２）に分割される。リザーブドフラグメント（Ｎ＋１）の開始アドレスは、インコンプリートフラグメント（Ｎ＋１）の開始アドレスと等しく、また、リザーブドフラグメント（Ｎ＋１）のサイズはインコンプリートフラグメント（Ｎ＋１）の既記録領域サイズより大きくなければならない。フラグメント分割により、リザーブドフラグメント（Ｎ＋１）の情報がＳＤＣＢに新たに登録される。ＳＤＣＢの内容が更新された場合は、イントロ（Intro）内の所定の領域にＳＤＣＢが追記される。また、リザーブドフラグメント（Ｎ＋１）の後にはランイン（Run-in）ブロックと、新たなインコンプリートフラグメント（Ｎ＋２）が生成される。このランインブロックは、インコンプリートフラグメント（Ｎ＋２）にデータを記録する際に記録される。
【００９１】
図３（ｃ）は、データ領域が複数のセッション（Session）に分割される場合を示す。データ領域をセッションに分割する場合は、オープンセッションＫがデータ記録の完了したセッションＫと、新たなオープンセッション（Ｋ＋１）に分割される。このとき、少なくともセッション内のデータ記録が完了している必要がある。すなわち、オープンセッションＫ内に存在するフラグメントのうち、リザーブドフラグメント内の領域を記録し、インコンプリートフラグメントの終了アドレスを決定することで、セッションをクローズすることができる。インコンプリートフラグメント（Ｎ＋２）の終了アドレスが決定した場合も、フラグメント（Ｎ＋２）の情報がＳＤＣＢへ登録される。ここで、オープンセッションＫへの記録を完了させる場合は、イントロ内の未記録領域が所定データで記録され、フラグメント（Ｎ＋２）に続いてクロージャが記録される。イントロ、及び、クロージャは、データ属性を有する領域である。オープンセッションＫの後に新たなセッションを記録しない場合は、クロージャの代わりにリードアウトが記録される。
【００９２】
図４は、ＳＤＣＢの構成を示す。図４に示すように、ＳＤＣＢ内には１６バイトのデータからなる複数のセッションアイテム（Session Item）が存在する。このセッションアイテムには、当該セッション内のフラグメント情報を示すフラグメントアイテム（Fragment Item）と、当該セッション以前のセッション情報を示すプリビアスセッションアイテム（Previous Session Item）の２種類が存在する。
【００９３】
図５に、フラグメントアイテムの構成を示す。フラグメントアイテムディスクリプタ（Fragment item descriptor）は、この記録情報がフラグメントアイテムをあらわすことを示すＩＤ情報であり、“FRG”記録される。フラグメントナンバ（Fragment number）はフラグメント番号を示し、フラグメントタートアドレス（Fragment start address）及びフラグメントエンドアドレス（Fragment end address）は、各フラグメントの開始アドレス及び終了アドレスを示す。前述したように、ＳＤＣＢ内には、リザーブドフラグメントの情報のみが登録されている。従って、図３の例では、図３（ａ）の場合、ＳＤＣＢ内にはフラグメントＮの情報を示すフラグメントアイテムが存在するだけであり、図３（ｂ）の場合は、フラグメントＮ、フラグメント（Ｎ＋１）の情報を示す２つのフラグメントアイテムが存在し、図３（ｃ）の場合は、フラグメントＮ〜（Ｎ＋２）の情報を示す３種類のフラグメントアイテムが存在する。
【００９４】
図６に、プリビアスセッションアイテムの構成を示す。プリビアスセッションアイテムディスクリプタ（Previous session descriptor）は、この記録情報がプリビアスセッションアイテムをあらわすことを示すＩＤ情報であり、“PRS”記録される。プリビアスセッションナンバ（Previous session number）は、セッション番号を示し、プリビアスセッションスタートアドレス（Previous session start address）及びプリビアスセッションエンドアドレス（Previous session end address）は、各セッションの開始アドレス及び終了アドレスを示す。ＳＤＣＢ内には、当該セッションより前の全てのセッション情報がプリビアスセッションアイテムとして登録されており、図３の例では、セッション１からセッション（Ｋ−１）までの情報を示す（Ｋ−１）種類のプリビアスセッションアイテムが存在する。
【００９５】
図７は、２層ＤＶＤ＋Ｒである光ディスク５１のレイアウトを示す。光ディスク５１は、記録層が多層構造、この例では、２層の記録層５２，５３を備えていて、各記録層５２，５３についてデータの記録が可能である。以下では、光ディスク５１としてＯＴＰ方式の２層ＤＶＤ＋Ｒを例に説明する。
【００９６】
図７（ａ）は、未記録状態の２層ＤＶＤ＋Ｒである光ディスク５１の構成を示す説明図である。レイヤ０には光ディスク５１の内周からリードイン領域（Lead-in Area）、データ領域（Data Area）、中間領域（Middle Area）が存在し、レイヤ１には光ディスク５１の外周から中間領域、データ領域、リードアウト領域（Lead-out Area）が存在する。これらの領域には、前述した再生専用の２層ＤＶＤ−ＲＯＭ（図２（ｃ））と同様の方式で物理アドレスが割り振られる。すなわち、レイヤ０のデータ領域の開始アドレスは、物理アドレス３００００Ｈであり、物理アドレスの値はレイヤ０のリードイン領域からレイヤ０の中間領域まで連続的に増加する。また、レイヤ１のデータ領域開始アドレスは、レイヤ０のデータ領域の終了アドレスをビット反転したアドレスが割り振られ、データ領域の開始アドレスを基準に中間領域からリードアウト領域まで連続して増加する。一方、ユーザがデータ記録の際に指定する論理アドレスは、レイヤ０のデータ領域の開始アドレス３００００ｈが基準となり、論理アドレス０ｈが割り振られる。以降、論理アドレスの値はレイヤ０のデータ領域内で連続的に増加する。レイヤ０のデータ領域終了位置における論理アドレスと、レイヤ１のデータ領域開始位置における論理アドレスとは連続しており、以降、レイヤ１のデータ領域内で連続的に増加する。
【００９７】
図７（ｂ）は、光情報記録再生装置１により、ユーザがデータ記録を行なう際の光ディスク５１のデータ領域の説明図である。
【００９８】
すなわち、データ記録の際に用いられる論理アドレスは、２つの記録層５２，５３をまたいで連続するため、２つの記録層５２，５３におけるデータ領域５４，５５を、図７（ｂ）に示すように、擬似的に連続した単一のデータ領域５６として扱う。そして、記録を行う場合には、この擬似的に連続した単一のデータ領域５６を複数の分割領域、すなわち、フラグメントやセッションに分割して、ユーザデータの記録を行う。このフラグメント及びセッションの分割は、前述の図４を参照して説明した方式において行う。
【００９９】
図８は、光情報記録装置１によるセッション分割を説明する説明図である。ＤＶＤ＋Ｒにおけるセッションは、リードイン領域、ユーザデータ領域（User Data Area）、リードアウト領域からなるが、マルチセッションを構成する場合は、２セッション目以降のセッションではリードインの代わりにユーザデータ属性を有するイントロが記録され、また、最終セッションより前のセッションではリードアウトの代わりにユーザデータ属性を有するクロージャ（Closure）が記録される。
【０１００】
本例では図８（ａ）に示すように、レイヤ０にデータ記録が完了したセッションが１セッション存在する。そして図示のように、１セッション目はクロージャで終了しており、新たなセッションを追加することが可能であるため、１セッション目以降の未記録領域はオープンセッション２として扱われる。セッション２のユーザデータ領域の終了アドレスは、暫定的にレイヤ１のデータ領域終了アドレスが与えられる。
【０１０１】
ここで、図８（ｂ）に示すように、オープンセッション２を、ユーザデータ領域が記録層５２，５３をまたぐようにして、新たに２つのセッションに分割する。この場合のセッション分割は、前述したようにセッション２内に存在する全フラグメント内の未記録領域を記録した後、ユーザデータ領域の前後にイントロ及びクロージャを記録することで行われ、記録完了したセッション２の後方には新たにオープンセッション３が生成される。このように、分割領域となるセッション２内にユーザデータを記録するユーザデータ領域を設定して記録を行うが、設定しようとするユーザデータ領域が２つのデータ領域５４，５５（記録層５２，５３）にまたがるときは、そのユーザデータ領域を２つに分割して、その分割部分を各データ領域５４，５５に設定して記録を行う。
【０１０２】
そして、レイヤ１のデータ領域へデータを記録する際、データ領域の開始アドレスに記録したデータの再生を行うために、データ領域の手前に中間領域を示すデータ属性を有するレイヤランイン（Layer Run-in）を記録する。レイヤランインはレイヤ１のデータ領域へデータ記録を行う際に記録される。また、セッション２のイントロ、クロージャを記録する際には従来のＤＶＤ−ＲＯＭドライブで再生が可能になるように、レイヤ０及び１の中間領域を記録する。
【０１０３】
図８（ｃ）は、単一のクロージャ内で記録層５２，５３をまたぐ形でセッションを分割する場合を示す。セッション内では、ユーザデータ領域の前方にイントロ（第１の所定データを記録する第１の所定領域となる）と、後方にクロージャ（第２の所定データを記録する第２の所定領域となる）を設定し、このイントロ又はクロージャが２つのデータ領域５４，５５（記録層５２，５３）にまたがるときは、イントロ又はクロージャを２つに分割して各分割部分を各データ領域５４，５５に設定して記録を行う。
【０１０４】
すなわち、ＤＶＤ＋Ｒでは、イントロ及びクロージャのデータサイズが定まっており、光情報記録装置１は、これらのデータサイズを考慮してセッションのユーザデータ領域の開始アドレスを検出する。従って、イントロあるいはクロージャ内で記録層５２，５３をまたぐ場合も、データ領域５４，５５に分割して記録することで、セッションのユーザデータ領域の開始アドレスを適正に検出することができる。
【０１０５】
図９は、情報記録再生装置１によるフラグメント分割を示す説明図である。ＤＶＤ＋Ｒでは１セッション内に最大１６フラグメントまで記録可能になっている。そして、隣接するフラグメント間にはユーザデータ属性を有する１ＥＣＣブロックのダミーデータであるランインブロックが配置される。言い換えると、セッション内の最初のフラグメントの直前、最終フラグメントの直後には、ランインブロックは存在しない。また、ランインブロックは隣接するフラグメントとは独立した領域である。
【０１０６】
本例では、図９（ａ）に示すように、レイヤ０にフラグメントの開始アドレス及び終了アドレスが決定しているリザーブドフラグメント１が存在する。フラグメント１以降の未記録領域はインコンプリートフラグメント２として扱われ、フラグメント２の終了アドレスは暫定的にレイヤ１のデータ領域終了アドレスが与えられる。セッション内に存在するフラグメントのうち、終了アドレスが決定しているフラグメント、すなわち、リザーブドフラグメント１の情報はＳＤＣＢ内に記録される。またフラグメント１とフラグメント２の間にはランインブロックが存在し、このランインブロックはフラグメント２にユーザデータを記録する際に記録される。
【０１０７】
また、図９（ａ）（ｂ）に示すように、インコンプリートフラグメント２を、ユーザデータ領域が記録層５２，５３（データ領域５４，５５）をまたぐ形で新たに２つのフラグメントに分割する。この場合、前述したようにインコンプリートフラグメント２の終了アドレスが決定し、リザーブドフラグメント２となる。このときリザーブドフラグメント２の情報がＳＤＣＢ内に追加され、更新されたＳＤＣＢを所定の領域に記録する。リザーブドフラグメント２の後方には新たなインコンプリートフラグメント３が生成される。
【０１０８】
そして、レイヤ１のデータ領域５５へデータを記録する際、データ領域５５の開始アドレスに記録したデータの再生を行うために、データ領域５５の手前にレイヤランインを記録する。このレイヤランインはレイヤ１のデータ領域５５へデータ記録を行う際に記録される。
【０１０９】
図９（ｃ）は、記録層５２，５３の境界でフラグメントが分割される場合である。この場合、リザーブドフラグメント２とインコンプリートフラグメント３の間、すなわち、レイヤ１のデータ領域開始アドレスにはランインブロックが存在するが、このランインブロック（第３の所定データ）をレイヤ１のデータ領域５５の手前の領域にあるレイヤ１の中間領域（第３の所定領域）に配置する（あるいは、データ領域５５の先頭でもよい）。この場合のランインブロックは中間領域を示すデータ属性を有するデータで記録され、フラグメント３のユーザデータ領域へ記録を行う際に記録される。
【０１１０】
すなわち、ＤＶＤ＋Ｒにおいては、フラグメントの開始アドレス、及び、終了アドレスはＳＤＣＢ内に記録されるため、ＳＤＣＢ内の情報を参照することでフラグメントの開始アドレスを取得することができる。また、一旦セッションがクローズされると、セッション内に記録されたデータはセッション開始アドレスから所定位置に記録されているファイル管理情報を元に読み出される。つまり、ＤＶＤ＋Ｒではデータ記録が完了したセッションに関しては、セッション内のフラグメント情報は重要ではなく、オープンセッション内をフラグメントに分割して記録を行う場合に限り必要であるといえる。従って、２層目の記録層５３のデータ領域開始アドレスがランインブロックとなるようなフラグメント分割を行う場合、ランインブロックはデータ領域に記録する必要はない。
【０１１１】
そこで、本実施の形態では、２層目の記録層５３のデータ領域開始アドレスがランインブロックとなるようなフラグメント分割を行う場合にも、ランインブロックは２層目の記録層５３のデータ領域５５の直前に記録されるため、２層目の記録層５３のデータ領域開始アドレスへ記録したデータを正常に再生することが可能となる。
【０１１２】
また、図９（ｄ）は、ランインブロックの特殊な記録方法を示すもので、意図的に２層目のレイヤ１からデータ記録を行う場合のフラグメント分割の例である。本例では、データ領域５４と５５との境界でフラグメント分割を行う。この場合、図に示すようにレイヤ０のデータ領域５４が全てリザーブドフラグメント１となり、レイヤ１のデータ領域５５の手前の領域にあるレイヤ１の中間領域にランインブロック、レイヤ１のデータ領域がインコンプリートフラグメント２となる。ユーザはフラグメント２からデータ記録を行うことで、２層目からのデータ記録が可能となる。
【０１１３】
図１０は、光情報記録再生装置１が実行する処理の概要を説明するフローチャートである。かかる処理は、コントローラ６（のＣＰＵ）が実行する。すなわち、コントローラ６は、２つの記録層５２，５３の２つのデータ領域５４，５５を連続した単一のデータ領域５６として複数の分割領域、すなわち、セッションやフラグメントなどに分割し（分割手段、分割工程、分割処理）（ステップＳ１）、このセッションやフラグメントなどの分割領域に、図７〜図９を参照して説明したようにして、データの記録を行う（記録手段、記録工程、記録処理）（ステップＳ２）。
【０１１４】
図１１は、光情報記録再生装置１におけるステップＳ２の一例として、セッション記録を行う場合の具体的な処理の一例を説明するフローチャートである。
【０１１５】
本例では、マルチセッション記録における第１セッション及び最終セッションを除くセッションを記録する。すなわち、ユーザデータ領域の前後にはイントロ及びクロージャが記録される。また、この例では、セッション内のフラグメント分割は行わないものとする。
【０１１６】
まず、セッション記録が開始されると（ステップＳ１１のＹ）、コントローラ６は要求記録アドレスを取得し（ステップＳ１２）、要求アドレスがレイヤ０内のアドレスかどうかを判定する（ステップＳ１３）。要求アドレスがレイヤ０内のアドレスであった場合（ステップＳ１３のＹ）、レイヤ０内の所定領域へデータ記録を行う（ステップＳ１４）。
【０１１７】
次にデータ記録中、レイヤ０のデータ領域への記録が完了したかどうかを判定し（ステップＳ１５）、レイヤ０への記録が完了した場合は（ステップＳ１５のＹ）、引き続きレイヤ１への記録へ移行するが、ここでは、レイヤ１のデータ領域５５の直前、すなわち、レイヤ１の中間領域内に所定サイズのレイヤランインブロックを、図９を参照して説明したように記録し（ステップＳ１６）、レイヤ１のデータ領域５５へデータ記録を行う（ステップＳ１７）。一方、レイヤ０への記録が完了していなければ（ステップＳ１５のＮ）、ステップＳ１８に進む。
【０１１８】
また、要求アドレスがレイヤ１内であった場合は（ステップＳ１３のＮ）、レイヤ１内の所定領域へデータ記録を行う（ステップＳ１７）。次に、セッション内のデータ記録が完了したかどうかを判定する（ステップＳ１８）。データ記録が完了していなければ（ステップＳ１８のＮ）、引き続き要求アドレスの取得を行う（ステップＳ１２以降）。
【０１１９】
一方、データ記録が完了した場合は（ステップＳ１８のＹ）、セッション終了処理へ移行する。ここでは、まず、イントロ開始アドレスを取得し（ステップＳ１９）、イントロ開始アドレスがレイヤ０内かどうかを判定する（ステップＳ２０）。イントロ開始アドレスがレイヤ０内であった場合（ステップＳ２０のＹ）、レイヤ０内の所定領域へイントロの記録を行う（ステップＳ２１）。次に、イントロ記録中レイヤ０のデータ領域への記録が完了したかどうかを判定し（ステップＳ２２）、レイヤ０への記録が完了した場合は（ステップＳ２２のＹ）、引き続きレイヤ１への記録へ移行する。ここでは、レイヤ０及びレイヤ１の中間領域を記録し（ステップＳ２３）、レイヤ１のデータ領域へイントロの残りを記録する（ステップＳ２４）。一方、レイヤ０内でイントロ記録が完了した場合は（ステップＳ２２のＮ）、ステップＳ２５に進む。また、イントロ開始アドレスがレイヤ１内であった場合は（ステップＳ２０のＮ）、レイヤ１内の所定領域へイントロを記録する（ステップＳ２４）。
【０１２０】
セッション終了処理では、引き続きクロージャ記録が行われる。ここでは、まず、クロージャ開始アドレスを取得し（ステップＳ２５）、クロージャ開始アドレスがレイヤ０内かどうかを判定する（ステップＳ２６）。クロージャ開始アドレスがレイヤ０内であった場合（ステップＳ２６のＹ）、レイヤ０内の所定領域へクロージャの記録を行う（ステップＳ２７）。次に、クロージャ記録中のレイヤ０のデータ領域への記録が完了したかどうかを判定し（ステップＳ２８）、レイヤ０への記録が完了した場合は（ステップＳ２８のＹ）、引き続きレイヤ１への記録へ移行する。ここではレイヤ０及びレイヤ１の中間領域を記録し（ステップＳ２９）、レイヤ１のデータ領域へクロージャの残りを記録する（ステップＳ３０）。一方、レイヤ０内でイントロ記録が完了した場合は（ステップＳ２８のＮ）、一連の処理を終了する。また、クロージャ開始アドレスがレイヤ１内であった場合は（ステップＳ２６のＮ）、ステップＳ３０に進み、レイヤ１内の所定領域へクロージャを記録する（ステップＳ３０）。以上のセッション終了処理が完了したら、一連の処理を終了する。
【０１２１】
以上説明した処理により、ユーザデータ、ランインブロック、イントロ、クロージャ、中間領域等の記録を光ディスク５１に対して行うが、かかる処理における、このユーザデータ等の記録については、図７〜図９を参照して前述したような方式で実行される。
【０１２２】
なお、本例では、第１セッション及び最終セッションを除くセッション記録について説明したが、第１セッションあるいは最終セッションを記録する場合の処理も同様である。第１セッション記録の場合は、イントロの代わりにリードインが、最終セッション記録の場合はクロージャの代わりにリードアウトが記録される。この場合の、リードインリードアウトの記録は、図８を参照して説明したイントロ、クロージャの記録と同様に行う。
【０１２３】
また、セッション終了処理において、各記録層５２，５３の中間領域を記録したが、中間領域の全ての領域を記録するのでなく、従来のＤＶＤ−ＲＯＭドライブとの再生互換が取れる範囲でその一部の領域を記録するようにしてもよい。さらに、前述の説明では、ＯＴＰ方式の２層ＤＶＤ＋Ｒディスクを例に挙げたが、光ディスク５１は、ＰＴＰ方式のＤＶＤ＋Ｒであってもよい。この場合、２層目の記録層５３のレイヤランインブロックは２層目の記録層５３のリードイン領域内に記録され、記録層５２，５３をまたいでセッション記録を行った場合、中間領域が記録される代わりに、レイヤ０のリードアウト領域、及び、レイヤ１のリードイン領域が記録される。
【０１２４】
図１２は、ステップＳ２でフラグメント記録を行う場合の処理のフローチャートである。本例ではインコンプリートフラグメントを、ステップＳ１で、リザーブドフラグメントと新たなインコンプリートフラグメントに分割した後に、リザーブドフラグメントにデータ記録を行うものとする。なお、図１２において、図１１と同一符号のステップは同様の内容の処理である。
【０１２５】
フラグメント記録が開始されると（ステップＳ３１のＹ）、まず、指定されたサイズでフラグメントをリザーブ（reserve）する（ステップＳ３２）。本リザーブ処理では、レイヤ０及びレイヤ１に存在する各データ領域５４，５５を一つの擬似データ領域５６とみなすため、記録層５２，５３をまたぐ範囲でフラグメントの分割を許す。次に要求記録アドレスを取得し（ステップＳ１２）、要求アドレスがレイヤ０内のアドレスかどうかを判定する（ステップＳ１３）。要求アドレスがレイヤ０内のアドレスであった場合（ステップＳ１３のＹ）、さらに要求アドレスがフラグメント開始アドレスであるかどうかを判定し（ステップＳ３３）、フラグメント開始アドレスであった場合は（ステップＳ３３のＹ）、フラグメントの直前にランインブロックを記録して（ステップＳ３４）、レイヤ０へデータ記録を行う（ステップＳ１４）。一方、要求アドレスがフラグメント開始アドレスでなければ（ステップＳ３３のＮ）、ステップＳ１４に進む。
【０１２６】
次に、データ記録中、レイヤ０のデータ領域への記録が完了したかどうかを判定し（ステップＳ１５）、レイヤ０への記録が完了した場合は（ステップＳ１５のＹ）、引き続きレイヤ１への記録へ移行する。ここでは、レイヤ１のデータ領域の直前、すなわち、レイヤ１の中間領域内に所定サイズのレイヤランインブロックを記録し（ステップＳ１６）、レイヤ１のデータ領域へデータ記録を行う（ステップＳ１７）。一方、レイヤ０への記録が完了していなければ（ステップＳ１５のＮ）、ステップＳ１８に進む。
【０１２７】
次に、要求アドレスがレイヤ１内であった場合（ステップＳ１３のＮ）、フラグメント開始アドレスであるかどうかを判定する（ステップＳ３５）。フラグメント開始アドレスでなかった場合（ステップＳ３５のＮ）、レイヤ１の所定領域へデータ記録を行う（ステップＳ１７）。一方、要求アドレスがフラグメント開始アドレスであった場合（ステップＳ３５のＹ）、さらに要求アドレスがレイヤ１のデータ領域開始アドレスであるかどうかを判定する（ステップＳ３６）。ここで、レイヤ１のデータ領域開始アドレスでなければ（ステップＳ３６のＮ）、レイヤ１のデータ領域内の所定アドレスへランインブロックを記録（ステップＳ３７）、レイヤ１のデータ領域開始アドレスであれば（ステップＳ３６のＹ）、レイヤ１のデータ領域の直前、すなわち、レイヤ１の中間領域内にランインブロックを記録して（ステップＳ３８）、レイヤ１のデータ領域へデータ記録を行う（ステップＳ１７）。以上のデータ記録処理が完了した後、フラグメントのデータ記録が完了したかどうかを判定し（ステップＳ１８）、フラグメント記録が完了していなければ（ステップＳ１８のＮ）、引き続き要求アドレスの取得を行うが（ステップＳ１２以降）、フラグメント記録が完了した場合は（ステップＳ８のＹ）、一連の処理を終了する。
【０１２８】
かかる処理においても、ユーザデータ、ランインブロック等の記録については、図７〜図９を参照して前述したような方式で実行される。
【０１２９】
なお、本例ではフラグメントをリザーブした後にリザーブドフラグメントへデータ記録を行う場合について説明したが、フラグメントリザーブ後、新たなインコンプリートフラグメントへデータ記録を行う場合も同様に処理することができる。また、フラグメントのリザーブとデータ記録は連続して行う必要はなく、それぞれ独立して行ってもよい。さらに、ＯＴＰ方式の２層ＤＶＤ＋Ｒディスクを例に挙げたが、ＰＴＰ方式のＤＶＤ＋Ｒであってもよい。また、データ領域の直前に記録するランインブロックは、前述したレイヤランインブロックであってもよい。
【０１３０】
図１３は、本発明の一実施の形態である情報処理装置１０１の電気的な接続のブロック図である。図１２に示すように、情報処理装置１０１は、パーソナルコンピュータなどのコンピュータで構成され、各種演算を行ない、各部を集中的に制御するＣＰＵ１０２と、各種のＲＯＭやＲＡＭからなるメモリ１０３とが、バス１０４で接続されている。
【０１３１】
バス１０４には、所定のインターフェイスを介して、ハードディスクなどの磁気記憶装置１０５と、マウスやキーボードなどで構成される入力装置１０６と、ＬＣＤやＣＲＴなどの表示装置１０７と、光ディスクなどの記憶媒体１０８を読取る記憶媒体読取装置１０９と、光情報記録再生装置１とが接続され、また、ネットワーク１１０と通信を行なう所定の通信インターフェイス１１１が接続されている。なお、通信インターフェイス１１１は、ネットワーク１１０を介してインターネットなどのＷＡＮに接続可能である。記憶媒体１０８としては、ＣＤやＤＶＤなどの光ディスク、光磁気ディスク、フレキシブルディスクなどの各種方式のメディアを用いることができる。また、記憶媒体読取装置１０９は、具体的には記憶媒体１０８の種類に応じて光ディスクドライブ、光磁気ディスクドライブ、フレキシブルディスクドライブなどが用いられる。また、記憶媒体読取装置１０９と、光情報記録再生装置１とを別に図示しているが、記憶媒体読取装置１０９を光情報記録再生装置１と同一の装置として構成してもよい。
【０１３２】
また、前述の光情報記録再生装置１の説明では、図７〜図１２の処理をコントローラ６の制御により実行する場合を前提として説明したが、図７〜図１２の処理を磁気記憶装置１０５に記憶されている制御プログラムにしたがって、情報処理装置１０１が実行する制御により実現するようにしてもよい。
【０１３３】
この場合に、磁気記憶装置１０５に記憶されている制御プログラムは、この発明のプログラムを実施するもので、この発明の記憶媒体を実施する記憶媒体１０８から記憶媒体読取装置１０９により読取るか、あるいは、インターネットなどのＷＡＮからダウンロードするなどして、磁気記憶装置１０５にインストールしたものである。このインストールにより情報処理装置１０１は前述の制御について動作可能な状態となる。なお、この制御プログラムは、所定のＯＳ上で動作するものであってもよい。また、特定のアプリケーションソフトの一部をなすものであってもよい。
【０１３４】
なお、前述の光ディスク５１はＯＴＰ方式の２層ＤＶＤ＋Ｒを例としたため、その分割領域の分割は、セッション、フラグメント単位で行っているが、これをトラック単位で行うようにしてもよい。
【０１３５】
また、本実施の形態では光ディスク５１としてＤＶＤ＋Ｒを対象とする例について説明したが、本発明の光情報記録方法、光情報記録装置、情報処理装置、光情報記録媒体、プログラム及び記憶媒体は、かかる点に限定するものではなく、ＤＶＤ＋ＲＷ，ＤＶＤ−Ｒ／ＲＷなどの様々なタイプの光ディスクを対象とすることができる。
【図面の簡単な説明】
【０１３６】
【図１】本発明の一実施の形態である光情報記録再生装置の概略構成を示すブロック図である。
【図２】従来の再生専用のＤＶＤディスクのレイアウトを示す説明図である。
【図３】本発明の一実施の形態である光ディスクにおけるフラグメントの分割について説明する説明図である。
【図４】ＳＤＣＢの構成を示す説明図である。
【図５】フラグメントアイテムの構成を示す説明図である。
【図６】プリビアスセッションアイテムの構成を示す説明図である。
【図７】２層ＤＶＤ＋Ｒである光ディスクのレイアウトを示す説明図である。
【図８】光情報記録装置によるセッション分割を説明する説明図である。
【図９】情報記録再生装置によるフラグメント分割を示す説明図である。
【図１０】情報記録再生装置が実行する処理の概要を説明するフローチャートである。
【図１１】情報記録再生装置でセッション記録を行う場合の具体的な処理の一例を説明するフローチャートである。
【図１２】情報記録再生装置でフラグメント記録を行う場合の具体的な処理の一例を説明するフローチャートである。
【図１３】本発明の一実施の形態である情報処理装置の電気的な接続のブロック図である。
【符号の説明】
【０１３７】
１  光情報記録再生装置
５１  光情報記録媒体
５２，５３  記録層
５４，５５  データ領域
５６  単一のデータ領域
１０１  情報処理装置
１０８  記憶媒体
【要約】
【課題】  記録層が多層構造で各記録層にデータの記録が可能なデータ領域を有する光情報記録媒体に対して、ユーザが記録層を意識することなく、フラグメント、セッションなどを単位とする分割記録を行うことができるようにする。
【解決手段】  光ディスク５１は、記録層が２層構造で、各記録層５２，５３にデータの記録が可能なデータ領域５４，５５を有する。光情報記録再生装置は、２層の記録層５２，５３の２つのデータ領域５４，５５を連続した単一のデータ領域５６として複数の分割領域、具体的には、セッションあるいはフラグメント単位に分割する。そして、このセッションあるいはフラグメントにデータの記録を行う。
【選択図】    図７
【図１】
0003594243.tif 000002
【図２】
0003594243.tif 000003
【図３】
0003594243.tif 000004
【図４】
0003594243.tif 000005
【図５】
0003594243.tif 000006
【図６】
0003594243.tif 000007
【図７】
0003594243.tif 000008
【図８】
0003594243.tif 000009
【図９】
0003594243.tif 000010
【図１０】
0003594243.tif 000011
【図１１】
0003594243.tif 000012
【図１２】
0003594243.tif 000013
【図１３】
0003594243.tif 000014